(57)【要約】      （修正有）【課題】時間や手間をかけなくても、センスの良いフォトブックを作成することが可能なフォトブック作成システム等を提供する。【解決手段】サーバは、フォトブックの作成に用いる画像データを読み込み（ステップＳ１）、全ての画像データを解析し、キーワードを抽出し（ステップＳ２）、ステップＳ２において抽出されるキーワードに基づいてタイトルを決定し（ステップＳ３）、ステップＳ３において決定されるタイトルに基づいて、フォトブックの作成に用いるデザインテンプレートを決定し（ステップＳ４）、デザインテンプレートの画像枠に画像データを割り付け（ステップＳ５）、ステップＳ３において決定されるタイトルを、デザインテンプレートの表紙のテキストボックスに割り付ける（ステップＳ６）。【選択図】図６
2019149020.tif 000002
【特許請求の範囲】
【請求項１】
フォトブックに用いる画像データを解析することによってキーワードを抽出するキーワード抽出手段と、
前記キーワードに基づいて前記フォトブックのタイトルを決定するタイトル決定手段と、
前記タイトルに基づいてデザインテンプレートを決定するテンプレート決定手段と、
前記デザインテンプレートの画像枠に前記画像データを割り付ける画像割付手段と、
前記デザインテンプレートの表紙のテキストボックスに前記タイトルを割り付けるタイトル割付手段と、
を備えることを特徴とするフォトブック作成システム。
【請求項２】
前記キーワードと前記タイトルが対応付けられているタイトルデータベース、
を更に備え、
前記キーワード抽出手段は、前記フォトブックに用いる全ての前記画像データを解析することによって前記キーワードを抽出し、
前記タイトル決定手段は、前記タイトルデータベースから前記キーワードに対応する前記タイトルを検索する
ことを特徴とする請求項１に記載のフォトブック作成システム。
【請求項３】
前記キーワード抽出手段は、前記フォトブックの各頁に配置された前記画像データを解析することによって頁単位の前記キーワードを抽出し、
頁単位の前記キーワードに基づいて、各頁の挿入テキストを決定する挿入テキスト決定手段と、
前記デザインテンプレートの各頁のテキストボックスに前記挿入テキストを割り付ける挿入テキスト割付手段と、
を更に備えることを特徴とする請求項１または請求項２に記載のフォトブック作成システム。
【請求項４】
コンピュータが、
フォトブックに用いる画像データを解析することによってキーワードを抽出するステップと、
前記キーワードに基づいて前記フォトブックのタイトルを決定するステップと、
前記タイトルに基づいてデザインテンプレートを決定するステップと、
前記デザインテンプレートの画像枠に前記画像データを割り付けるステップと、
前記デザインテンプレートの表紙のテキストボックスに前記タイトルを割り付けるステップと、
を実行することを特徴とするフォトブック作成方法。
【請求項５】
フォトブックに用いる画像データを解析することによってキーワードを抽出するステップと、
前記キーワードに基づいて前記フォトブックのタイトルを決定するステップと、
前記タイトルに基づいてデザインテンプレートを決定するステップと、
前記デザインテンプレートの画像枠に前記画像データを割り付けるステップと、
前記デザインテンプレートの表紙のテキストボックスに前記タイトルを割り付けるステップと、
を含む処理をコンピュータに実行させるためのプログラム。
【発明の詳細な説明】
【技術分野】
【０００１】
本発明は、複数の画像がレイアウトされたフォトブックを作成するフォトブック作成システム等に関するものである。
【背景技術】
【０００２】
従来から、利用者が所有する画像データの印刷を行う画像印刷システムが広く普及している。画像印刷システムの一つとして、複数の画像がレイアウトされたフォトブックを作成するフォトブック作成システムが知られている。
【０００３】
例えば、特許文献１には、絵柄の上に画像ボックス及びテキストボックスがレイアウトされたフォトブックのテンプレートに対して、利用者が画像データを選択したり、文字を入力したりして、絵本の世界観に合わせたレイアウトでオリジナルのフォトブックを作成することが可能なフォトブック作成システムが開示されている。
【先行技術文献】
【特許文献】
【０００４】
【特許文献１】特開２０１６−１８４１８号公報
【発明の概要】
【発明が解決しようとする課題】
【０００５】
ところで、フォトブックを作成した経験がある利用者の中には、時間や手間がかかる上に、センスの良いフォトブックを作成できないという不満を持っている人もいる。特許文献１に記載のフォトブック作成システムでは、利用者が文字を入力するので、文字を考える時間や入力する手間がかかる上に、センスの良いフォトブックを作成できるとは限らない。
【０００６】
本発明は、前述した問題点に鑑みてなされたものであり、その目的とすることは、時間や手間をかけなくても、センスの良いフォトブックを作成することが可能なフォトブック作成システム等を提供することである。
【課題を解決するための手段】
【０００７】
前述した目的を達成するための第１の発明は、フォトブックに用いる画像データを解析することによってキーワードを抽出するキーワード抽出手段と、前記キーワードに基づいて前記フォトブックのタイトルを決定するタイトル決定手段と、前記タイトルに基づいてデザインテンプレートを決定するテンプレート決定手段と、前記デザインテンプレートの画像枠に前記画像データを割り付ける画像割付手段と、前記デザインテンプレートの表紙のテキストボックスに前記タイトルを割り付けるタイトル割付手段と、を備えることを特徴とするフォトブック作成システムである。第１の発明によって、時間や手間をかけなくても、センスの良いフォトブックを作成することが可能となる。特に、センスの良いタイトルをつけることが可能となる。
【０００８】
第１の発明は、前記キーワードと前記タイトルが対応付けられているタイトルデータベース、を更に備え、前記キーワード抽出手段は、前記フォトブックに用いる全ての前記画像データを解析することによって前記キーワードを抽出し、前記タイトル決定手段は、前記タイトルデータベースから前記キーワードに対応する前記タイトルを検索するようにしても良い。これによって、タイトルを自動的に決定することができる。
【０００９】
また、前記キーワード抽出手段は、前記フォトブックの各頁に配置された前記画像データを解析することによって頁単位の前記キーワードを抽出し、頁単位の前記キーワードに基づいて、各頁の挿入テキストを決定する挿入テキスト決定手段と、前記デザインテンプレートの各頁のテキストボックスに前記挿入テキストを割り付ける挿入テキスト割付手段と、を更に備えるようにしても良い。これによって、各頁にセンスの良いテキストを挿入することができる。
【００１０】
第２の発明は、コンピュータが、フォトブックに用いる画像データを解析することによってキーワードを抽出するステップと、前記キーワードに基づいて前記フォトブックのタイトルを決定するステップと、前記タイトルに基づいてデザインテンプレートを決定するステップと、前記デザインテンプレートの画像枠に前記画像データを割り付けるステップと、前記デザインテンプレートの表紙のテキストボックスに前記タイトルを割り付けるステップと、を実行することを特徴とするフォトブック作成方法である。第２の発明によって、時間や手間をかけなくても、センスの良いフォトブックを作成することが可能となる。特に、センスの良いタイトルをつけることが可能となる。
【００１１】
第３の発明は、フォトブックに用いる画像データを解析することによってキーワードを抽出するステップと、前記キーワードに基づいて前記フォトブックのタイトルを決定するステップと、前記タイトルに基づいてデザインテンプレートを決定するステップと、前記デザインテンプレートの画像枠に前記画像データを割り付けるステップと、前記デザインテンプレートの表紙のテキストボックスに前記タイトルを割り付けるステップと、を含む処理をコンピュータに実行させるためのプログラムである。第３の発明のプログラムを汎用のコンピュータにインストールすることによって、第１の発明のフォトブック作成システムを得ることができる。
【発明の効果】
【００１２】
本発明により、時間や手間をかけなくても、センスの良いフォトブックを作成することが可能なフォトブック作成システム等を提供することができる。
【図面の簡単な説明】
【００１３】
【図１】第１の実施形態に係るフォトブック作成システム１ａの概要を示す図
【図２】端末２のハードウエアの構成例を示す図
【図３】サーバ３のハードウエアの構成例を示す図
【図４】タイトルデータベース４の一例を示す図
【図５】挿入テキストデータベース５の一例を示す図
【図６】フォトブック作成システム１ａの処理の流れを示すフローチャート
【図７】デザインテンプレート６の構成例を示す図
【図８】画像データ割付処理を説明する図
【図９】レイアウト結果８ａ、８ｂを示す図
【図１０】第２の実施形態に係るフォトブック作成システム１ｂの概要を示す図
【図１１】フォトブック作成端末１００の外観斜視図
【図１２】フォトブック作成端末１００のハードウエアの構成例を示す図
【図１３】製本機１５０のハードウエアの構成例を示す図
【発明を実施するための形態】
【００１４】
以下図面に基づいて、本発明の実施形態を詳細に説明する。
【００１５】
＜第１の実施形態＞
図１は、第１の実施形態に係るフォトブック作成システム１ａの概要を示す図である。フォトブック作成システム１ａは、利用者が用いる端末２と、端末２とネットワーク９を介して接続されるサーバ３と、によって構成され、フォトブックを作成するシステムである。
【００１６】
フォトブックは、画像データやテキストを含むフォトブックデータ（編集後レイアウトデータ）を、用紙の片面または両面に印刷し、印刷した用紙を製本して製本物としたものである。フォトブックデータは、画像が挿入される画像枠や文字が挿入されるテキストボックスをレイアウトしたテンプレートに対して、コンピュータ又は利用者が、画像枠に画像データを挿入したり、テキストボックスに文字を挿入したりして、作成されるデータである。
【００１７】
端末２は、利用者の自宅に設置されるパーソナルコンピュータ等でも良いし、スマートフォン、カメラ付き携帯電話機、タブレット端末、携帯型パーソナルコンピュータ等の携帯型端末等でも良い。
【００１８】
端末２は、ネットワーク９を介して、画像データをサーバ３にアップロードする。また、端末２は、ウェブページの閲覧ソフトが予めインストールされており、閲覧ソフトを介して、フォトブック作成の操作や注文を受け付ける。
【００１９】
サーバ３は、端末２から画像データを受信し、記憶する。また、サーバ３は、端末２が受け付けるフォトブック作成の操作に従い、フォトブックデータを作成する。そして、サーバ３は、端末２が受け付ける注文に従い、不図示の印刷及び製本を行う印刷・製本機にフォトブックデータを送信する。印刷・製本機は、フォトブックデータの印刷及び製本を行い、フォトブックとして出力する。その後、フォトブックは利用者に送付される。尚、印刷・製本機の種類は問わず、大型のオンデマンドプリンタによる印刷や、手作業による製本でもよい。
【００２０】
ネットワーク９は、インターネットやローカルエリアネットワーク（ＬＡＮ）等のネットワークであり、有線、無線は特に問わない。
【００２１】
前述の説明では、サーバ３がフォトブックデータを作成するものとしたが、端末２がフォトブックデータを作成しても良い。この場合、端末２は、フォトブック作成アプリケーションが予めインストールされており、利用者から、フォトブック作成アプリケーション上で、画像データ等を用いて、フォトブック作成の操作を受け付け、フォトブックデータを作成する。そして、端末２は、利用者からフォトブックデータの注文を受け付けると、ネットワーク９を介して、フォトブックデータをサーバ３へ送信する。以下では混乱を避けるために、サーバ３がフォトブックデータを作成するものとして説明する。
【００２２】
図２は、端末２のハードウエアの構成例を示す図である。図２に示すように、端末２は、制御部２１、記憶部２２、入力部２３、表示部２４及び通信制御部２５等がバス２６を介して接続される。
【００２３】
制御部２１は、ＣＰＵ（Central Processing Unit）、ＲＯＭ（Read Only Memory）、ＲＡＭ（Random Access Memory）等によって構成される。ＣＰＵは、記憶部２２、ＲＯＭ、記録媒体等に格納されるプログラムをＲＡＭ上のワークメモリ領域に呼び出して実行し、バス２６を介して接続された各装置を駆動制御し、端末２が行う後述する処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部２２、ＲＯＭ、記録媒体等からロードしたプログラム、データ等を一時的に保持するとともに、制御部２１が各種処理を行う為に使用するワークエリアを備える。
【００２４】
記憶部２２は、フラッシュメモリ、ＨＤＤ（Hard Disk Drive）等であり、制御部２１が実行するプログラム、プログラム実行に必要なデータ、ＯＳ（Operating System）等が格納される。プログラムに関しては、ＯＳに相当する制御プログラムや、後述する処理をコンピュータに実行させるためのアプリケーションプログラムが格納されている。これらの各プログラムコードは、制御部２１により必要に応じて読み出されてＲＡＭに移され、ＣＰＵに読み出されて各種の手段として実行される。
【００２５】
入力部２３は、データの入力を行い、例えば、タッチパネル、キーボード、マウス等のポインティングデバイス、テンキー等の入力装置を有する。利用者は、入力部２３を介して、端末２に対して、操作指示、動作指示、データ入力等を行うことができる。表示部２４は、液晶パネル等のディスプレイ装置、ディスプレイ装置と連携してコンピュータのビデオ機能を実現するための論理回路等（ビデオアダプタ等）を有する。尚、入力部２３及び表示部２４は、タッチパネルディスプレイのように、一体となっていても良い。
【００２６】
通信制御部２５は、通信制御装置、通信ポート等を有し、コンピュータとネットワーク間の通信を媒介する通信インタフェースであり、ネットワークを介して、他のコンピュータ間との通信制御を行う。ネットワークは、有線、無線を問わない。バス２６は、各装置間の制御信号、データ信号等の授受を媒介する経路である。
【００２７】
図３は、サーバ３のハードウエアの構成例を示す図である。図３に示すように、サーバ３は、制御部３１、記憶部３２、入力部３３、表示部３４及び通信制御部３５等がバス３６を介して接続される。サーバ３の制御部３１、記憶部３２、入力部３３、表示部３４、通信制御部３５及びバス３６の詳細は、前述の端末２の制御部２１、記憶部２２、入力部２３、表示部２４、通信制御部２５及びバス２６と同様であるため、説明を省略する。
【００２８】
図４は、タイトルデータベース４の一例を示す図である。タイトルデータベース４は、フォトブック作成アプリケーションが端末２にインストールされる際、端末２の記憶部２２に記憶される。図４に示すように、タイトルデータベース４のデータ項目は、データを識別するＩＤ４１、フォトブックに用いられるタイトル４２、タイトル４２の出典４３、タイトル４２と対応付けられている第１キーワード４４〜第４キーワード４７等を含む。尚、キーワードの数は、４個に限定されるものではない。
【００２９】
例えば、ＩＤ４１が「１」のデータは、タイトル４２が「If you can
dream it, you can do it.」という海外の名言であり、出典４３が「ＸＸＸ」、第１キーワード４４が「子供」、第２キーワード４５が「成長記録」である。タイトル４２には、過去の名言や詩のフレーズ、フォトブックの内容がセンス良く示される単語や文章等が登録される。尚、詩等の著作物については、著作権が切れているものや著作権の権利処理が済んでいるものが登録される。
【００３０】
図５は、挿入テキストデータベース５の一例を示す図である。挿入テキストデータベース５は、フォトブック作成アプリケーションが端末２にインストールされる際、端末２の記憶部２２に記憶される。図５に示すように、挿入テキストデータベース５のデータ項目は、データを識別するＩＤ５１、フォトブックの各頁に挿入される挿入テキスト５２、挿入テキスト５２の出典５３、挿入テキスト５２と対応付けられている第１キーワード５４〜第４キーワード５７等を含む。尚、キーワードの数は、４個に限定されるものではない。
【００３１】
例えば、ＩＤ５１が「１」のデータは、挿入テキスト５２が「There is no
love sincerer than the love of food.」という海外の名言であり、出典５３が「ＸＸＸ」、第１キーワード５４が「食べ物」、第２キーワード５５が「飲み物」、第３キーワード５６が「レストラン」である。挿入テキスト５２には、タイトル４２と同様、過去の名言や詩のフレーズ、画像の内容がセンス良く示される単語や文章等が登録される。
【００３２】
図６は、フォトブック作成システム１ａの処理の流れを示すフローチャートである。端末２は、予めサーバ３に画像データを送信し、サーバ３は、端末２から受信する画像データを記憶しておく。
【００３３】
図６に示すように、サーバ３は、フォトブックの作成に用いる画像データを読み込み（ステップＳ１）、全ての画像データを解析し、キーワードを抽出する（ステップＳ２）。
【００３４】
画像データの解析は、公知の技術を用いることができる。例えば、画像データの解析技術として、Google Cloud Vision APIを用いることができる。Google
Cloud Vision APIによれば、画像に含まれる物体を検出し、花、動物、乗り物などの物体カテゴリに分類（＝カテゴリ分類）したり、画像全体から撮影シーンを解析し、Child、Snapshot、Girl、Fun、Vacation、Recreationなどのラベルを検出（＝ラベル検出）したり、一般的な自然のランドマークや人工建造物を検出（＝ランドマーク検出）したり、ウェブを検索して画像に関連するラベルを検出（＝ウェブエンティティ検出）したりすることができる。サーバ３は、Google Cloud Vision APIの技術によって画像から得られる物体カテゴリ、ラベル、ランドマークなどをキーワードとして抽出する。
【００３５】
尚、Google Cloud Vision APIによって得られる物体カテゴリ、ラベル、ランドマークなどが英語の場合、公知の自動翻訳技術を用いて日本語に変換してからキーワードとして抽出しても良いし、タイトルデータベース４や挿入テキストデータベース５に記憶されるキーワードを英語とし、英語のままキーワードとして抽出しても良い。
【００３６】
次に、サーバ３は、ステップＳ２において抽出されるキーワードに基づいてタイトルを決定する（ステップＳ３）。具体的には、サーバ３は、タイトルデータベース４からキーワードに対応するタイトルを検索する。
【００３７】
例えば、サーバ３は、ステップＳ２において抽出されるキーワードの中で頻度が高い順に４つのキーワードを選択し、選択された４つのキーワードと、タイトルデータベース４の第１キーワード４４〜第４キーワード４７が最も適合するタイトル４２を取得するようにしても良い。但し、タイトルデータベース４の検索方法はこの例に限定されるものではない。
【００３８】
次に、サーバ３は、ステップＳ３において決定されるタイトルに基づいて、フォトブックの作成に用いるデザインテンプレートを決定する（ステップＳ４）。
【００３９】
例えば、サーバ３は、予めタイトルデータベース４のタイトル４２ごとに１つのデザインテンプレートを対応付けて記憶しておき、デザインテンプレートを自動的に決定しても良い。また、例えば、サーバ３は、予めタイトルデータベース４のタイトル４２ごとに複数のデザインテンプレートを対応付けて記憶しておき、複数のデザインテンプレートを端末２に表示させ、利用者に選択させることによって、デザインテンプレートを決定しても良い。
【００４０】
図７は、デザインテンプレート６の構成例を示す図である。フォトブックの作成に用いるデザインテンプレート６は、表紙及び裏表紙の台割テンプレート６０ａ、前扉の台割テンプレート６０ｂ、本文（見開き１）の台割テンプレート６０ｃ、・・・、後扉の台割テンプレート６０ｄを含む。本文（見開き）の台割テンプレートについては、頁数に応じた分だけデザインテンプレート６に含まれる。
【００４１】
各台割テンプレートは、画像が挿入される画像枠やテキストが挿入されるテキストボックスを含んでおり、画像枠やテキストボックスのレイアウト位置、画像枠のフィルタ（グラデーションやテクスチャなど）、テキストボックスの文字サイズ及びフォント等が予め固定されている。表紙及び裏表紙の台割テンプレート６０ａには、画像枠６１ａ、６１ｂ、タイトルが挿入される表紙のテキストボックス６２ａが含まれている。前扉の台割テンプレート６０ｂには、画像枠６１ｃ、テキストボックス６２ｂが含まれている。本文（見開き１）の台割テンプレート６０ｃには、画像枠６１ｄ〜６１ｆ、テキストボックス６２ｃが含まれている。後扉の台割テンプレート６０ｄには、画像枠６１ｇ、テキストボックス６２ｄが含まれている。
【００４２】
図６の説明に戻る。次に、サーバ３は、デザインテンプレートの画像枠に画像データを割り付ける（ステップＳ５）。
【００４３】
図８は、画像データ割付処理を説明する図である。サーバ３は、予め画像枠７１ごとに、挿入画像の優先順位７２と選択グループ７３を記憶しておく。また、サーバ３は、ステップＳ１において読み込まれる画像の中で撮影時間が近いものをグループ化しておく。例えば、表紙の画像枠７１は、優先順位７２が人物、風景の順、選択グループ７３が全ての画像である。また、例えば、見開き１−枠１の画像枠７１は、優先順位７２が人物、選択グループ７３がグループＡ、撮影日時７４が「１２／１０  １０：０１〜１０：１０」である。
【００４４】
サーバ３は、図８に例示される優先順位７２及び選択グループ７３に従い、デザインテンプレートの画像枠に画像データを割り付ける。サーバ３は、優先順位７２及び選択グループ７３に従って選択される画像データが複数になる場合、該当の画像データの中からランダムに割り付けるようにしても良いし、タイトルに沿っていることを選定基準として画像データを割り付けるようにしても良い。タイトルに沿っていることを示す選定基準としては、例えば、画像解析によって取得されるキーワードと、タイトルデータベース４のタイトル４２に対応付けられている第１キーワード４４〜第４キーワード４７とが合致する数が考えられる。
【００４５】
図６の説明に戻る。次に、サーバ３は、ステップＳ３において決定されるタイトルを、デザインテンプレートの表紙のテキストボックスに割り付ける（ステップＳ６）。
【００４６】
次に、サーバ３は、フォトブックの各頁に配置された画像データを解析することによって頁単位のキーワードを抽出する（ステップＳ７）。画像データの解析は、ステップＳ１と同様、公知の技術を用いることができる。ステップＳ１では、サーバ３は、全ての画像データからフォトブック全体のキーワードを抽出するのに対し、ステップＳ７では、サーバ３は、ステップＳ５において各頁に割り付けられた画像データから頁単位のキーワードを抽出する。
【００４７】
次に、サーバ３は、頁単位のキーワードに基づいて、各頁の挿入テキストを決定する（ステップＳ８）。具体的には、サーバ３は、挿入テキストデータベース５からキーワードに対応する挿入テキストを検索する。
【００４８】
例えば、サーバ３は、ステップＳ７において抽出される頁単位のキーワードの中で最も頻度が高いキーワードと、挿入テキストデータベース５の第１キーワード５４〜第４キーワード５７が合致する挿入テキスト５２を抽出し、抽出される挿入テキスト５２の中で割付対象のテキストボックスに挿入可能な文字数のものを取得するようにしても良い。但し、挿入テキストデータベース５の検索方法はこの例に限定されるものではない。
【００４９】
次に、サーバ３は、デザインテンプレートの各頁のテキストボックスに挿入テキストを割り付ける（ステップＳ９）。そして、サーバ３は、レイアウト結果を端末２に送信し、端末２は、レイアウト結果を表示する（ステップＳ１０）。この後、端末２は、利用者からレイアウト結果の編集やフォトブック作成の注文を受け付ける。そして、端末２は、注文データ及びレイアウト結果のフォトブックデータをサーバ３に送信する。サーバ３は、注文データ及びフォトブックデータを受信し、印刷・製本機にフォトブックデータを送信する。
【００５０】
図９は、レイアウト結果８ａ、８ｂを示す図である。図９（ａ）には、タイトルが「If
you can dream it, you can do it.」の表紙のレイアウト結果８ａが図示されている。また、図９（ｂ）には、挿入テキストが「There is no love sincerer than the love of food.」の本文（見開き）のレイアウト結果８ｂが図示されている。このように、フォトブック作成システム１ｂによれば、利用者が文字を考える時間や入力する手間をかけなくても、センスの良いフォトブックを作成することができる。
【００５１】
＜第２の実施形態＞
図１０は、第２の実施形態に係るフォトブック作成システム１ｂの概要を示す図である。フォトブック作成システム１ｂは、フォトブックを出力するフォトブック作成端末１００に、携帯端末２００又は記憶媒体３００が接続されることで構成される。
【００５２】
フォトブック作成端末１００は、店頭等に設置され、利用者により接続される携帯端末２００又は記憶媒体３００等から画像データを取得して内部に保持した後、利用者からフォトブック作成の操作を受け付け、フォトブックデータを作成する。そして、フォトブック作成端末１００は、利用者からフォトブックデータの印刷注文を受け付けると、印刷及び製本して、フォトブックとして出力する。
【００５３】
携帯端末２００は、例えば、スマートフォン、カメラ付き携帯電話機、タブレット端末、携帯型パーソナルコンピュータ等の携帯型端末である。ユーザは、携帯端末２００の内部に記憶されている画像データを、例えば、Bluetooth（登録商標）、赤外線通信、有線ケーブル等の通信方法を用いてフォトブック作成端末１００に転送し、フォトブック作成の際に利用する。
【００５４】
記憶媒体３００は、例えば、Blue-Ray Disk／DVD-ROM／CD-ROM／CD-R／CD-RW、コンパクトフラッシュ（登録商標）、SD（Secure Digital）カード、ミニSDカード、マイクロSDカード、xD−ピクチャーカード、SmartMedia（登録商標）、MEMORY STICK（登録商標）、USB（Universal Serial Bus）メモリ等である。
【００５５】
図１１は、フォトブック作成端末１００の外観斜視図である。フォトブック作成端末１００の上部正面には、タッチパネル付ディスプレイ１１１が配置されている。タッチパネル付ディスプレイ１１１は、操作の案内、操作の状況、読み込んだ画像データ等を表示するとともに、ユーザからの指示を受け付ける。ユーザは、タッチパネル付ディスプレイ１１１を介して、印刷注文する画像データの選択、フォトブックデータの作成（編集）、および画像データの画像処理の指示等を行う。
【００５６】
タッチパネル付ディスプレイ１１１の下部には、メディア投入口１１２および通信口１１３が設けられている。メディア投入口１１２は、各メディアの挿入口であり、複数の挿入口が１箇所にまとめて配置されている。通信口１１３は、各携帯端末と通信を行うための通信ポートであり、複数の通信ポート（赤外線ポートやUSBポートなど）が１箇所にまとめて配置されている。
【００５７】
フォトブック作成端末１００の下段部の前面板１１４には、レシート取出口１１５、硬貨投入口１１６および紙幣挿入口１１７のような料金投入口、つり銭返却口１１８、印刷物取出口１１９、ドア開閉キー１２０、メンテナンスキー１２１等が設けられている。
【００５８】
レシート取出口１１５、硬貨投入口１１６、紙幣挿入口１１７、つり銭返却口１１８は、ユーザによる印刷物の注文内容に応じた入金を要求する課金手段として機能する。ユーザは、硬貨投入口１１６に硬貨を投入したり、紙幣挿入口１１７に紙幣を挿入したりすることにより、印刷物の料金を支払う。つり銭がある場合には、つり銭返却口１１８から放出される。また、料金徴収後、徴収金額や注文内容等が印刷されたレシートがレシート取出口１１５から放出される。
【００５９】
印刷物取出口１１９には、フォトブック作成端末１００の筐体内に設置されるプリンタにより印刷され、内部製本機によって製本された製本物（フォトブック）が排出される。ドア開閉キー１２０は、フォトブック作成端末１００の前面板１１４を開閉するためのキーである。メンテナンスキー１２１は、ユーザがフォトブック作成端末１００を利用可能な運転モードと、管理者がフォトブック作成端末１００のメンテナンスや設定、レシートの再印刷等を行う管理モードを切り替えるためのキーである。
【００６０】
図１２は、フォトブック作成端末１００のハードウエアの構成例を示す図である。図１２に示すように、コンピュータ１３０は、制御部１３１、記憶部１３２、入出力部１３３、通信部１３４等から構成され、各種メディア読取部１４１、通信部１４２、モニタ１４４、コインメック１４５、ビルバリ１４６、レシートジャーナル処理部１４７、およびプリンタ１４８、および製本機１５０を制御する。
【００６１】
制御部１３１は、プログラムの実行を行うCPU（Central processing Unit）と、プログラム命令あるいはデータ等を格納するためのRAM（Random Access Memory）、ROM（Read Only Memory）等で構成される。制御部１３１は、記憶部１３２等に格納されたプログラムに従って、バス１３５を介して接続された各装置を制御する。
【００６２】
記憶部１３２には、制御部１３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
【００６３】
プログラムのコードは、制御部１３１により必要に応じて読み出され、RAMに移され、CPUに読み出されて各種機能として実行される。
【００６４】
入出力部１３３は、記憶部１３２に格納されているプログラム等の更新や、フォトブック作成端末１００の設定等を行うメンテナンス時に用いられる。
【００６５】
通信部１３４は、通信制御装置、通信ポートや有線ケーブル等を有し、フォトブック作成端末１００と携帯端末２００の通信を媒介する通信インタフェースである。通信部１３４は、フォトブック作成端末１００と携帯端末２００間の通信制御を行う。
【００６６】
各種メディア読取部１４１は、メディア投入口１１２の各メディアの挿入口に対応してフォトブック作成端末１００内部に設けられ、挿入された記憶媒体３００に予め記憶されている画像データを読み込む。通信部１４２は、通信口１１３の各通信ポートに対応して設置されており、通信中の携帯端末２００に予め記憶されている画像データを読み込む。モニタ１４４は、タッチパネル付ディスプレイ１１１である。
【００６７】
コインメック１４５、ビルバリ１４６、レシートジャーナル処理部１４７は、課金機能の役割を果たす。コインメック１４５は、硬貨投入口１１６に対応してフォトブック作成端末１００内部に設けられ、硬貨の入出力を管理する。ビルバリ１４６は、紙幣挿入口１１７に対応してフォトブック作成端末１００内部に設けられ、紙幣の入出力を管理する。
【００６８】
レシートジャーナル処理部１４７は、レシート取出口１１５に対応してフォトブック作成端末１００内部に設けられ、ユーザの徴収金額や注文内容に応じたレシートを印刷する。
【００６９】
プリンタ１４８は、印刷物取出口１１９に対応してフォトブック作成端末１００内部に設けられ、印刷物を印刷する。プリンタ１４８は、画像データを印刷する高解像度カラープリンタであり、熱転写プリンタあるいはインクジェット型など、プリンタの方式は特に問わない。印刷する記録媒体は、シート状またはロール状の紙である。
【００７０】
製本機１５０は、ローラや搬送路等を有し、プリンタ１４８で印刷された印刷物を所定の製本方法で製本し、フォトブックを作成して出力する。
【００７１】
なお、プリンタ１４８は、フォトブック作成端末１００内部に設けられ、そこで印刷が行われるが、これに限らず、例えば、通信部１３４およびネットワーク９を介して接続されたプリンタサーバに画像データを転送し、そこで印刷を行わせることも可能である。また、製本機１５０も、フォトブック作成端末１００内部に設けられ、そこで製本が行われるが、これに限らず、例えば、図示しない搬送路を介して接続された外部の製本機に印刷物を搬送し、そこで製本を行わせるようにしてもよい。すなわち、フォトブック作成端末１００と、プリンタ１４８、製本機１５０はそれぞれ別体であってもよい。
【００７２】
図１３は、製本機１５０のハードウエアの構成例を示す図である。図１３に示すように、製本機１５０は、印刷物を折りたたむ折り機構１５１、印刷物をホチキスや製本テープ、背表紙、糊等で綴じる綴じ機構１５２、印刷物を化粧断裁する裁断機構１５３等を備える。これらの機構としては、既知のものを使用できる。フォトブックの製本方法の詳細については、例えば、特開２０１０−１３７５６４号公報等に記載されている通り公知の技術である。
【００７３】
第２の実施形態に係るフォトブック作成システム１ｂの処理の詳細は、第１の実施形態に係るフォトブック作成システム１ａと同様である。すなわち、フォトブック作成端末１００が、図４に示すタイトルデータベース４や図５に示す挿入テキストデータベース５を予め記憶し、図６に示すフローチャートの処理を実行する。
【００７４】
以上、本発明の実施形態によれば、センスの良いフォトブックを作成することが可能なフォトブック作成システム等を提供することができる。特に、自動的にセンスの良いタイトルをつけたり、自動的にセンスの良いテキストを各頁に挿入したりすることが可能となる。
【００７５】
以上、添付図面を参照しながら、本発明に係るフォトブック作成システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７６】
１ａ、１ｂ：フォトブック作成システム
２：端末
３：サーバ
４：タイトルデータベース
５：挿入テキストデータベース
６：デザインテンプレート
８ａ、８ｂ：フォトブックデータ
９：ネットワーク
４２：タイトル
４４〜４７：第１キーワード〜第４キーワード
５２：  挿入テキスト
５４〜５７：第１キーワード〜第４キーワード
６０ａ〜６０ｄ：台割テンプレート
６１ａ〜６１ｇ：画像枠
６２ａ〜６２ｄ：テキストボックス
【図１】
2019149020.tif 000003
【図２】
2019149020.tif 000004
【図３】
2019149020.tif 000005
【図４】
2019149020.tif 000006
【図５】
2019149020.tif 000007
【図６】
2019149020.tif 000008
【図７】
2019149020.tif 000009
【図８】
2019149020.tif 000010
【図９】
2019149020.tif 000011
【図１０】
2019149020.tif 000012
【図１１】
2019149020.tif 000013
【図１２】
2019149020.tif 000014
【図１３】
2019149020.tif 000015